(57)【要約】【課題】  補助パッドを挟み込んで保持するベルト状部材が製造時や着用時に引っ掛かりにくい使い捨て着用物品を提供する。【解決手段】  外装部材３における表面部位に交換可能な補助パッド８がセットされた時に、この補助パッド８を外装部材３における表面部位に挟み込んで保持するためのベルト状部材９が設けられ、このベルト状部材９は、外装部材３の幅方向に延在して、その両端部９ａは、上記補助パッド８の外側に位置する外装部材３の表面シート４に固定されるとともに、この固定された両端部９ａの間の所定部位は、補助パッド８がセットされる前には外装部材３における表面部位に仮止め材１０で剥離可能に仮止めされている。【選択図】  図１
2005270377.tif 000002
【特許請求の範囲】
【請求項１】
前腹部と後背部との間に股部を有して、前腹部と後背部の上部に胴周り開口が形成されるとともに、股部の両側部に脚周り開口が形成された外装部材を備えてなる使い捨て着用物品において、
上記外装部材における表面部位に交換可能な補助パッドがセットされた時に、この補助パッドを外装部材における表面部位に挟み込んで保持するためのベルト状部材が設けられ、このベルト状部材は、外装部材の幅方向に延在して、その両端部は、上記補助パッドの外側に位置する外装部材の表面シートに固定されるとともに、この固定された両端部の間の所定部位は、補助パッドがセットされる前には外装部材における表面部位に仮止め材で剥離可能に仮止めされていることを特徴とする使い捨て着用物品。
【請求項２】
上記外装部材は、表面シートと裏面シートとの間に吸収体が固定されたタイプであり、上記ベルト状部材の両端部の固定は、上記補助パッドおよび吸収体の外側に位置する外装部材の表面シートであるとともに、上記ベルト状部材の仮止めは、上記補助パッドおよび吸収体の両側部に近接した外装部材の表面シート若しくは上記吸収体が位置する外装部材の表面シートであることを特徴とする請求項１記載の使い捨て着用物品。
【請求項３】
上記外装部材は、表面シートに吸収体が固定されたタイプであり、上記ベルト状部材の両端部の固定は、上記補助パッドおよび吸収体の外側に位置する外装部材の表面シートであるとともに、上記ベルト状部材の仮止めは、上記補助パッドおよび吸収体の両側に近接する外装部材の表面シート若しくは吸収体であることを特徴とする請求項１記載の使い捨て着用物品。
【請求項４】
上記外装部材は、表面シートと裏面シートとの間に吸収体が固定されたタイプ、または表面シートに吸収体が固定されたタイプであり、かつ上記吸収体の両側部に立ち上がりフラップが設けられたタイプであって、上記ベルト状部材の仮止めは、立ち上がりフラップの表面であることを特徴とする請求項１記載の使い捨て着用物品。
【請求項５】
上記ベルト状部材は、伸縮性部材または非伸縮性部材、あるいはこれら部材の組み合わせであることを特徴とする請求項１〜４のいずれか１項に記載の使い捨て着用物品。
【請求項６】
上記ベルト状部材は、前腹部と後背部の少なくとも一方に設けられていることを特徴とする請求項１〜５のいずれか１項に記載の使い捨て着用物品。
【請求項７】
上記ベルト状部材は、股部に設けられていることを特徴とする請求項１〜６のいずれか１項に記載の使い捨て着用物品。
【請求項８】
上記仮止め材は、メカニカルファスナーであることを特徴とする請求項１〜７のいずれか１項に記載の使い捨て着用物品。
【発明の詳細な説明】
【技術分野】
【０００１】
本発明は、交換可能な補助パッドがセットできる使い捨て着用物品に関する。
【背景技術】
【０００２】
従来、表面シートと裏面シートとの間に吸収性コアを介在させた使い捨ておむつにおいて、略円筒形状の支着体を後身頃の表面シートの上に橋渡し状態で取付けて、吸収性コアの上にセットした補助パッドを挟み込んで保持するようにしたものがある（例えば、特許文献１参照）。
【０００３】
この従来技術では、支着体の両端部を立体カフスの内面若しくは立体カフスの内面下方の表面シートに固定している。
【特許文献１】特開２００３−２０４９８７号公報
【発明の開示】
【発明が解決しようとする課題】
【０００４】
しかしながら、支着体は、両端部の間の部位が浮き上がった状態であるから、使い捨ておむつの製造時には、製造ラインの部品に引っ掛かりやすく、使い捨ておむつの着用時には、着用者が穿く際に足が引っ掛かりやすいという問題があった。
【０００５】
本発明は、上記問題を解消するためになされたもので、補助パッドを挟み込んで保持するベルト状部材が製造時や着用時に引っ掛かりにくい使い捨て着用物品を提供することを課題とするものである。
【課題を解決するための手段】
【０００６】
上記課題を解決するために、請求項１の発明は、前腹部と後背部との間に股部を有して、前腹部と後背部の上部に胴周り開口が形成されるとともに、股部の両側部に脚周り開口が形成された外装部材を備えてなる使い捨て着用物品において、
上記外装部材における表面部位に交換可能な補助パッドがセットされた時に、この補助パッドを外装部材における表面部位に挟み込んで保持するためのベルト状部材が設けられ、このベルト状部材は、外装部材の幅方向に延在して、その両端部は、上記補助パッドの外側に位置する外装部材の表面シートに固定されるとともに、この固定された両端部の間の所定部位は、補助パッドがセットされる前には外装部材における表面部位に仮止め材で剥離可能に仮止めされていることを特徴とする使い捨て着用物品を提供するものである。
【０００７】
請求項２の発明は、請求項１記載の使い捨て着用物品であって、上記外装部材は、表面シートと裏面シートとの間に吸収体が固定されたタイプであり、上記ベルト状部材の両端部の固定は、上記補助パッドおよび吸収体の外側に位置する外装部材の表面シートであるとともに、上記ベルト状部材の仮止めは、上記補助パッドおよび吸収体の両側部に近接した外装部材の表面シート若しくは上記吸収体が位置する外装部材の表面シートであることを特徴とするものである。
【０００８】
請求項３の発明は、請求項１記載の使い捨て着用物品であって、上記外装部材は、表面シートに吸収体が固定されたタイプであり、上記ベルト状部材の両端部の固定は、上記補助パッドおよび吸収体の外側に位置する外装部材の表面シートであるとともに、上記ベルト状部材の仮止めは、上記補助パッドおよび吸収体の両側に近接する外装部材の表面シート若しくは吸収体であることを特徴とするものである。
【０００９】
請求項４の発明は、請求項１記載の使い捨て着用物品であって、上記外装部材は、表面シートと裏面シートとの間に吸収体が固定されたタイプ、または表面シートに吸収体が固定されたタイプであり、かつ上記吸収体の両側部に立ち上がりフラップが設けられたタイプであって、上記ベルト状部材の仮止めは、立ち上がりフラップの表面であることを特徴とするものである。
【００１０】
請求項５の発明は、請求項１〜４のいずれか１項に記載の使い捨て着用物品であって、上記ベルト状部材は、伸縮性部材または非伸縮性部材、あるいはこれら部材の組み合わせであることを特徴とするものである。
【００１１】
請求項６の発明は、請求項１〜５のいずれか１項に記載の使い捨て着用物品であって、上記ベルト状部材は、前腹部と後背部の少なくとも一方に設けられていることを特徴とするものである。
【００１２】
請求項７の発明は、請求項１〜６のいずれか１項に記載の使い捨て着用物品であって、上記ベルト状部材は、股部に設けられていることを特徴とするものである。
【００１３】
請求項８の発明は、請求項１〜７のいずれか１項に記載の使い捨て着用物品であって、上記仮止め材は、メカニカルファスナーであることを特徴とするものである。
【発明の効果】
【００１４】
請求項１の発明によれば、ベルト状部材の両端部を、補助パッドの外側に位置する外装部材の表面シートに固定して、この固定した両端部の間の所定部位を、補助パッドがセットされる前に、外装部材における表面部位に仮止め材で剥離可能に仮止めしたものであるから、ベルト状部材の両端部の間の部位が浮き上がりにくい状態となって、使い捨て着用物品の製造時には、製造ラインの部品に引っ掛かりにくく、使い捨て着用物品の着用時には、着用者が穿く際に足が引っ掛かりにくくなる。
【００１５】
ここで、外装部材における表面部位とは、外装部材が表面シートと裏面シートとの２枚で構成されているときは、その表面シートを指し、外装部材が１枚のシートで構成されているときは、そのシートの表面を指し、外装部材の表面に吸収体が固定されているときは、その吸収体の表面を指し、外装部材の表面に立ち上がりフラップが固定されているときは、その立ち上がりフラップの表面を指す。
【００１６】
請求項２の発明によれば、外装部材が表面シートと裏面シートとの間に吸収体を固定したタイプであれば、ベルト状部材の両端部を補助パッドおよび吸収体の外側に位置する外装部材の表面シートに固定し、ベルト状部材を補助パッドおよび吸収体の両側部に近接した外装部材の表面シート若しくは吸収体が位置する外装部材の表面シートに仮止めすることができる。
【００１７】
このように、ベルト状部材の両端部を補助パッドおよび吸収体の外側に位置する外装部材の表面シートに固定すれば、吸収体の両側部に立ち上がりフラップが設けられたタイプであっても、従来技術のように、ベルト状部材（従来技術の支着体に相当）の両端部を立ち上がりフラップ（従来技術の立体カフスに相当）の内面若しくは立ち上がりフラップの内面下方の表面シートに固定する場合と比較して、立ち上がりフラップを設けた後にベルト状部材を後付けできるので、既存の製造ラインにベルト状部材の後付け機構を付加するだけで対応することが可能になる。
【００１８】
また、従来技術と比較して、ベルト状部材が幅方向に長くなるから、仮止めを外せばベルト状部材を大きく開けられるので、補助パッドをベルト状部材の間に入れやすくなる。
【００１９】
さらに、ベルト状部材を吸収体が位置する外装部材の表面シートに仮止めすれば、ベルト状部材の両端部の間の部位の浮き上がりが殆どなくなるので、より引っ掛かりにくくなる。
【００２０】
請求項３の発明によれば、外装部材が表面シートに吸収体を固定したタイプであれば、ベルト状部材の両端部を補助パッドおよび吸収体の外側に位置する外装部材の表面シートに固定し、ベルト状部材を補助パッドおよび吸収体の両側に近接する外装部材の表面シート若しくは吸収体に仮止めすることができる。
【００２１】
このように、ベルト状部材の両端部を補助パッドおよび吸収体の外側に位置する外装部材の表面シートに固定すれば、吸収体の両側部に立ち上がりフラップが設けられたタイプであっても、従来技術のように、ベルト状部材（従来技術の支着体に相当）の両端部を立ち上がりフラップ（従来技術の立体カフスに相当）の内面若しくは立ち上がりフラップの内面下方の表面シートに固定する場合と比較して、立ち上がりフラップを設けた後にベルト状部材を後付けできるので、既存の製造ラインにベルト状部材の後付け機構を付加するだけで対応することが可能になる。
【００２２】
また、従来技術と比較して、ベルト状部材が幅方向に長くなるから、仮止めを外せばベルト状部材を大きく開けられるので、補助パッドをベルト状部材の間に入れやすくなる。
【００２３】
さらに、ベルト状部材を吸収体に仮止めすれば、ベルト状部材の両端部の間の部位の浮き上がりが殆どなくなるので、より引っ掛かりにくくなる。
【００２４】
請求項４の発明によれば、吸収体の両側部に立ち上がりフラップが設けられたタイプであれば、立ち上がりフラップの表面にベルト状部材を仮止めできるから、ベルト状部材の両端部の間の部位の浮き上がりが殆どなくなるので、より引っ掛かりにくくなる。
【００２５】
請求項５の発明によれば、ベルト状部材を伸縮性部材または非伸縮性部材、あるいはこれら部材の組み合わせで構成することができ、伸縮性部材があれば、その押え力によって補助パッドのズレが無くなる。
【００２６】
請求項６の発明によれば、ベルト状部材を前腹部と後背部の少なくとも一方に設けることができ、両方に設ければ、補助パッドのズレが少なくなる。
【００２７】
請求項７の発明によれば、ベルト状部材を股部に設けると、股部の１箇所だけであっても補助パッドのズレが少なくなる。この場合、汚れやすいことを考慮して、ベルト状部材を撥水性フィルム等で製造することが好ましい。
【００２８】
請求項８の発明によれば、仮止め材をメカニカルファスナーとすれば、ベルト状部材を繰り返して仮止めすることができる。なお、仮止め材は、繰り返して仮止め可能な粘着剤であってもよく、１回だけ仮止め可能な接着剤であっても良い。
【発明を実施するための最良の形態】
【００２９】
以下、本発明を実施するための最良の形態について、図面を参照しながら詳細に説明する。
【００３０】
図１および図２は、第１実施形態のパンツ型使い捨ておむつ（着用物品）１Ａであり、図１（ａ）は斜視図、図１（ｂ）は展開斜視図、図２（ａ）は展開平面図、図２（ｂ）は補助パッド８のセット前の図２（ａ）のＡ−Ａ線断面図、図２（ｃ）は補助パッド８のセット後の図２（ａ）のＡ−Ａ線断面図である。
【００３１】
パンツ型使い捨ておむつ１Ａは、前腹部Ｐと後背部Ｑとの間に股部Ｒを有して、前腹部Ｐと後背部Ｑの上部に胴周り開口２が形成されるとともに、股部Ｒの両側部に脚周り開口Ｓが形成された外装部材３を備えている。この外装部材３は、前腹部Ｐと後背部Ｑの両端部１ａをサイドシールすることによって、図１（ａ）のような立体形状となる。
【００３２】
上記外装部材３は、透液性の表面シート４と非透液性の裏面シート５とを接着して構成されて、具体的に図示しないが、前腹部Ｐと後背部Ｑとにおける表面シート４と裏面シート５との間には、ウエスト用弾性部材とボディフィット用弾性部材とが伸張状態で接着されるとともに、股部Ｒにおける表面シート４と裏面シート５との間には、レッグ周り弾性部材が伸張状態で接着されている。これらの弾性部材は、必要に応じて接着すれば良い。
【００３３】
上記外装部材３は、１枚のシートで構成することもでき、この場合には、上記各弾性部材を外装部材３の表面若しくは裏面に伸張状態で接着すれば良い。かかる外装部材３は、非透液性であるのが好ましいが、表面に吸収体６を固定する場合には、吸収体６の裏面を非透液性とすれば、外装部材３を透液性とすることが可能である。
【００３４】
上記外装部材３の表面シート４と裏面シート５との間には、股部Ｒから前腹部Ｐおよび後背部Ｑとの跨って前後方向に延在する長方形状の吸収体６が固定されている。
【００３５】
この吸収体６の両側部には、基端部７ａが表面シート４に接着されて上方に立ち上がる立ち上がりフラップ７が設けられている。この立ち上がりフラップ７の先端部には、具体的に図示しないがフラップ用弾性部材が伸張状態で接着されている。なお、図２（ｂ）（ｃ）では〔図３（ｂ）（ｃ）でも同様〕、立ち上がりフラップ７が内側に倒れているように実線で描かれているが、これは、後述するベルト状部材９によって、この断面部分だけが押さえ付けられているためであって、ベルト状部材９の間の部分は、二点鎖線で描いたように上方に立ち上がっている。
【００３６】
そして、上記吸収体６とほぼ同じ外形状の補助パッド８は、図２（ｃ）のように、上記左右の立ち上がりフラップ７の間であって、吸収体６が位置する表面シート４の上に交換可能なようにセットされるようになる。
【００３７】
上記前腹部Ｐと後背部Ｑとには、上記補助パッド８がセットされた時に、この補助パッド８を表面シート４に挟み込んで保持するためのベルト状部材９が設けられている。
【００３８】
このベルト状部材９は、外装部材３の幅方向に延在して、その両端部９ａは、上記吸収体６と補助パッド８の外側で、かつ立ち上がりフラップ７の外側に位置する外装部材３の表面シート４に固定されている。
【００３９】
上記ベルト状部材９は、図６（ａ）のように、両側が弾性部材を伸張状態で接着した伸縮性部材９ｂとし、その間が非伸縮性部材９ｃとしている。また、図６（ｂ）のように、両側が非伸縮性部材９ｃとし、その間が弾性部材を伸張状態で接着した伸縮性部材９ｂとしても良く、図６（ｃ）のように、全体が弾性部材を伸張状態で接着した伸縮性部材９ｂとしても良く、図６（ｄ）のように、全体が非伸縮性部材９ｃとしても良い。
【００４０】
上記ベルト状部材９は、補助パッド８をセットする前には、外装部材３における表面部位に仮止め材１０で剥離可能に仮止めされている。
【００４１】
この仮止め材１０による仮止めは、例えばホットメルト接着剤によるスポット接着、熱によるスポット溶着、あるいは後述するメカニカルファスナーによる係止である。
【００４２】
また、仮止め位置は、固定されたベルト状部材９の両端部９ａの間の所定部位であって、第１例は、図２（ａ）および図７（ａ）に矢印ｆで示すように、立ち上がりフラップ７の外側で、表面シート４に固定された両端部９ａの内側であって、立ち上がりフラップ７に近接する外装部材３の表面シート４に仮止めしている。また、第２例として、図２（ａ）および図７（ｂ）に矢印ｇで示すように、立ち上がりフラップ７の表面に仮止めしても良い。さらに、第３例として、図２（ａ）および図７（ｃ）に矢印ｈで示すように、吸収体６が位置する外装部材３の表面シート４に仮止めしても良い。
【００４３】
第１実施形態のパンツ型使い捨ておむつ１Ａであれば、ベルト状部材９の両端部９ａを吸収体６と補助パッド８の外側で、かつ立ち上がりフラップ７の外側に位置する外装部材３の表面シート４に固定するとともに、ベルト状部材９を立ち上がりフラップ７に近接する外装部材３の表面シート４に仮止めしているから〔図２（ａ）および図７（ａ）の矢印ｆ参照〕、ベルト状部材９の両端部９ａの間の部位が浮き上がりにく状態となって、パンツ型使い捨ておむつ１Ａの製造時には、製造ラインの部品に引っ掛かりにくく、パンツ型使い捨ておむつ１Ａの着用時には、着用者が穿く際に足が引っ掛かりにくくなる。
【００４４】
また、ベルト状部材９の両端部９ａを立ち上がりフラップ７の外側に位置する外装部材３の表面シート４に固定するから、ベルト状部材９の両端部９ａを立ち上がりフラップ７の内面若しくは立ち上がりフラップ７の内面下方の表面シートに固定する場合と比較して、立ち上がりフラップ７を設けた後にベルト状部材９を後付けできるので、既存の製造ラインにベルト状部材９の後付け機構を付加するだけで対応することが可能になる。
【００４５】
さらに、ベルト状部材９が幅方向に長くなるから、仮止めを外せばベルト状部材９を大きく開けられるので、補助パッド８をベルト状部材９の間に入れやすくなる。
【００４６】
また、ベルト状部材９を立ち上がりフラップ７の表面に仮止めすれば〔図２（ａ）および図７（ｂ）の矢印ｇ参照〕、ベルト状部材９の両端部９ａの間の部位の浮き上がりが殆どなくなるので、より引っ掛かりにくくなる。
【００４７】
さらに、ベルト状部材９を吸収体６が位置する外装部材３の表面シート４に仮止めすれば〔図２（ａ）および図７（ｃ）の矢印ｈ参照〕、ベルト状部材９の両端部９ａの間の部位の浮き上がりが殆どなくなるので、より引っ掛かりにくくなる。
【００４８】
また、ベルト状部材９を伸縮性部材９ｂまたは非伸縮性部材９ｃ、あるいはこれら部材９ｂ，９ｃを組み合わせることができ、伸縮性部材９ｂがあれば、その押え力によって補助パッド８のズレが無くなる。
【００４９】
第１実施形態のパンツ型使い捨ておむつ１Ａでは、ベルト状部材９を前腹部Ｐと後背部Ｑの両方に設けたから、補助パッド８のズレが少なくなるが、いずれか一方に設けることも可能である。
【００５０】
図３は、第２実施形態のパンツ型使い捨ておむつ（着用物品）１Ｂであり、図３（ａ）は展開平面図、図３（ｂ）は補助パッド８のセット前の図３（ａ）のＡ−Ａ線断面図、図３（ｃ）は補助パッド８のセット後の図３（ａ）のＡ−Ａ線断面図である。
【００５１】
第１実施形態のパンツ型使い捨ておむつ１Ａと相違する点は、外装部材３の表面シート４と裏面シート５との間に吸収体６を固定するタイプではなく、表面シート４に吸収体６を固定するタイプである。
【００５２】
そして、仮止め位置の第１例〔図３（ａ）の矢印ｆ参照〕、第２例〔図３（ａ）の矢印ｇ参照〕は、第１実施形態と同じであるが、第３例として、矢印ｈで示すように、吸収体６に仮止めしても良い。
【００５３】
第２実施形態のパンツ型使い捨ておむつ１Ｂは、第１実施形態のパンツ型使い捨ておむつ１Ａと同様の作用効果を奏することができる。
【００５４】
図４は、第３実施形態のパンツ型使い捨ておむつ（着用物品）１Ｃであり、図４（ａ）は展開平面図、図４（ｂ）は補助パッド８のセット前の図４（ａ）のＡ−Ａ線断面図、図４（ｃ）は補助パッド８のセット後の図４（ａ）のＡ−Ａ線断面図である。
【００５５】
第１実施形態のパンツ型使い捨ておむつ１Ａと相違する点は、吸収体６が無いタイプである。なお、補助パッド８に立ち上がりフラップ７が設けられているのが好ましい。
【００５６】
そして、仮止め位置の第１例〔図３（ａ）の矢印ｆ参照〕は、第１実施形態と同じであるが、第２例として、矢印ｈで示すように、外装部材３の表面シート４に仮止めしても良い。
【００５７】
第３実施形態のパンツ型使い捨ておむつ１Ｃは、第１実施形態のパンツ型使い捨ておむつ１Ａと同様の作用効果を奏することができる。
【００５８】
図５は、第４実施形態のパンツ型使い捨ておむつ（着用物品）１Ｄの展開平面図である。
【００５９】
第１実施形態のパンツ型使い捨ておむつ１Ａと相違する点は、前腹部Ｐと後背部Ｑとにベルト状部材９を設けないで、股部Ｒに設けた点である。
【００６０】
第４実施形態のパンツ型使い捨ておむつ１Ｄは、第１実施形態のパンツ型使い捨ておむつ１Ａと同様の作用効果を奏することができるとともに、股部Ｒの１箇所だけであっても補助パッド８のズレが少なくなるという利点がある。なお、汚れやすいことを考慮して、ベルト状部材９を撥水性フィルム等で製造することが好ましい。
【００６１】
上記各実施形態において、上記仮止め材１０として、メカニカルファスナーを使用することができる。
【００６２】
ここで、メカニカルファスナーとは、図７（ｄ）に示すように、フック部１０ａとループ部１０ｂとが対をなして、両者を強く圧迫すると、フック部１０ａとループ部１０ｂとが相互に外れにくいように係止されるとともに、フック部１０ａとループ部１０ｂとを手で強く引き剥がすと、フック部１０ａとループ部１０ｂとの係止が外れるものをいい、面ファスナーとも呼ばれている。
【００６３】
また、不織布製シート自体は、メカニカルファスナーのループ部１０ｂとしての機能も有するので、ループ部１０ｂを設ける代わりに、不織布シートを利用すれば、ループ部１０ｂを省略できる。
【００６４】
このように、仮止め材１０をメカニカルファスナーとすれば、ベルト状部材９を繰り返して仮止めすることができる。
【００６５】
上記表面シート４としては、撥水性不織布材料（スパンボンド不織布、メルトブロー不織布、ＳＭＳ不織布等）が用いられる。好ましくは、目付１０〜２５ｇ／ｍ2の撥水性不織布材料である。また、内面のみを親水化〔界面活性剤を塗布するあるいは親水性繊維（レーヨン、コットン等）の層を作る。〕しても良く、この場合には、肌に当接した場合の感触が良くなり、吸汗効果も期待できる。
【００６６】
上記裏面シート５としては、通気性のある撥水性不織布材料（スパンボンド不織布、メルトブロー不織布、ＳＭＳ不織布等）が用いられる。好ましくは、目付１０〜２５ｇ／ｍ2の撥水性不織布材料である。
【００６７】
上記吸収体６および補助パッド８としては、粉砕したパルプ繊維やセルロース繊維等の親水性繊維集合層に粒状の高分子吸水体を混合した吸収性コアを、ティッシュペーパーなどの紙シートあるいは透液性不織布シート等の被覆シートで包んで、所定形状（長方形、砂時計型、ひょうたん型等）に成形したものである。上記繊維や高分子吸水体をシート状に成形したシート状吸収体（例えばエアレイド吸収体）等を、所定形状に成形して用いても構わない。また、着用者が歩いたり、寝返りを打ったりしても形状を保持できるように、親水性繊維集合層中やシートに形状保持手段（ホットメルト接着剤の塗布、合成繊維の混合）を施しても構わない。
【００６８】
上記立ち上がりフラップ７としては、撥水性不織布材料（スパンボンド不織布、メルトブロー不織布、ＳＭＳ不織布等）が用いられる。好ましくは、目付１０〜２５ｇ／ｍ2の撥水性不織布材料である。
【００６９】
上記各弾性部材は、通常使い捨ておむつに用いられる弾性伸縮材料（ポリウレタン糸、ポリウレタンフィルム、天然ゴム等）が用いられ、内装シートと外装シートとの間に伸張状態で、ホットメルト接着剤、熱接着、超音波接着など好適な添設手段でもって添設される。好ましくはゴム系のホットメルト接着剤である。
【００７０】
上記各シート材料の接合は、ホットメルト接着剤、熱接合、超音波シール等の方法が適宜用いられる。ホットメルト接着剤については、ゴム系、ポリオレフィン系、酢酸ビニル系等のホットメルト接着剤から適切に選定して、直接的なコーター塗布、間接的なスパイラル塗布、メルトブロー（カーテンスプレー）塗布、ビード塗布等の方法で塗布する。
【図面の簡単な説明】
【００７１】
【図１】第１実施形態のパンツ型使い捨ておむつ（着用物品）であり、（ａ）は斜視図、（ｂ）は展開斜視図である。
【図２】第１実施形態のパンツ型使い捨ておむつであり、（ａ）は展開平面図、（ｂ）は補助パッドのセット前の（ａ）のＡ−Ａ線断面図、（ｃ）は補助パッドのセット後の（ａ）のＡ−Ａ線断面図である。
【図３】第２実施形態のパンツ型使い捨ておむつであり、（ａ）は展開平面図、（ｂ）は補助パッドのセット前の（ａ）のＡ−Ａ線断面図、（ｃ）は補助パッドのセット後の（ａ）のＡ−Ａ線断面図である。
【図４】第３実施形態のパンツ型使い捨ておむつであり、（ａ）は展開平面図、（ｂ）は補助パッドのセット前の（ａ）のＡ−Ａ線断面図、（ｃ）は補助パッドのセット後の（ａ）のＡ−Ａ線断面図である。
【図５】第４実施形態のパンツ型使い捨ておむつの展開平面図である。
【図６】（ａ）〜（ｄ）は、それぞれベルト状部材の例を示す平面図である。
【図７】（ａ）〜（ｃ）は、それぞれ仮止め位置を示す断面図、（ｄ）は仮止め材としてのメカニカルファスナーの断面図である。
【符号の説明】
【００７２】
１Ａ〜１Ｄ  パンツ型使い捨ておむつ（使い捨て着用物品）
３      外装部材
４      表面シート
５      裏面シート
６      吸収体
７      立ち上がりフラップ
８      補助パッド
９      ベルト状部材
９ａ    両端部
９ｂ    伸縮性部材
９ｃ    非伸縮性部材
１０    仮止め材
Ｐ      前腹部
Ｑ      後背部
Ｒ      股部
Ｓ      脚周り用開口
ｆ，ｇ，ｈ  仮止め位置
【図１】
2005270377.tif 000003
【図２】
2005270377.tif 000004
【図３】
2005270377.tif 000005
【図４】
2005270377.tif 000006
【図５】
2005270377.tif 000007
【図６】
2005270377.tif 000008
【図７】
2005270377.tif 000009